(57)【要約】  本発明は，無線構内ネットワーク（ＷＬＡＮ）内の２つのノード，ポイント，又は端末間で情報を伝送する新規かつ唯一の方法及び装置を提供し，前記無線構内ネットワーク内の前記２つのノード，ポイント，又は端末間でマルチキャスト診断情報が可能になる。前記２つのノード，ポイント，又は端末は，アクセスポイント（ＡＰ），ほかの適切なネットワークノード，又は端末と，無線局（ＳＴＡ），前記ＷＬＡＮ内のほかの適切なネットワークノード，又は端末と，を含んでもよい。
2009515402.tif 000002
【特許請求の範囲】
【請求項１】
無線構内ネットワーク（ＷＬＡＮ）内の２つのノード，ポイント，又は端末間で情報を伝送するステップと，
前記無線構内ネットワーク内の前記２つのノード，ポイント，又は端末間でマルチキャスト診断情報を可能にするステップと，
を有する方法。
【請求項２】
前記２つのノード，ポイント，又は端末は，前記ＷＬＡＮ内のアクセスポイント（ＡＰ），ほかの適切なネットワークノード，又は端末と，無線局（ＳＴＡ），ほかの適切なネットワークノード，又は端末と，を含む請求項１に記載の方法。
【請求項３】
前記ＡＰは，マルチキャスト診断要求種別，１又は複数の起動条件，若しくは双方を含む測定要求要素を発行することができる請求項２に記載の方法。
【請求項４】
前記非ＡＰ  ＳＴＡは，この要求を受信したとき，前記要求によって指定された測定期間にわたるマルチキャスト診断報告フィールドを有する測定報告を送信する請求項３に記載の方法。
【請求項５】
マルチキャスト品質測定値を用いてＤＬ  ＭＡＣレベルマルチキャスト配信品質を測定することができる請求項４に記載の方法。
【請求項６】
前記起動条件が満たされたとき，前記受信器が前記受信フレームの品質を特定するエラー報告を送信する請求項１に記載の方法。
【請求項７】
前記ＡＰは，マルチキャストストリームを設定するすべての端末に同一の起動条件を設定するか，又は端末特定起動条件を設定することができる請求項２に記載の方法。
【請求項８】
前記ＳＴＡが配信タイムアウト又は報告タイムアウト以内にマルチキャストフレームを受信しなかったとき，前記報告を発生することができる請求項１に記載の方法。
【請求項９】
相互に情報を伝送する２つのノード又はポイントであって，前記２つのノード又はポイントは，前記無線構内ネットワーク内の前記２つのノード，ポイント，又は端末間でマルチキャスト診断情報を可能にするように構成する２つのノード又はポイントを備える無線構内ネットワーク。
【請求項１０】
前記２つのノード，ポイント，又は端末は，前記ＷＬＡＮ内のアクセスポイント（ＡＰ），ほかの適切なネットワークノード，又は端末と，無線局（ＳＴＡ），ほかの適切なネットワークノード，又は端末と，を含む請求項９に記載の無線構内ネットワーク。
【請求項１１】
前記ＡＰは，マルチキャスト診断要求種別，１又は複数の起動条件，若しくは双方を含む測定要求要素を発行することができる請求項１０に記載の無線構内ネットワーク。
【請求項１２】
前記非ＡＰ  ＳＴＡは，この要求を受信したとき，前記要求によって指定された測定期間にわたるマルチキャスト診断報告フィールドを有する測定報告を送信する請求項１１に記載の無線構内ネットワーク。
【請求項１３】
マルチキャスト品質測定値を用いてＤＬ  ＭＡＣレベルマルチキャスト配信品質を測定することができる請求項１２に記載の無線構内ネットワーク。
【請求項１４】
前記起動条件が満たされたとき，前記受信器が前記受信フレームの品質を特定するエラー報告を送信する請求項９に記載の無線構内ネットワーク。
【請求項１５】
前記ＡＰは，マルチキャストストリームを設定するすべての端末に同一の起動条件を設定するか，又は端末特定起動条件を設定することができる請求項９に記載の無線構内ネットワーク。
【請求項１６】
前記ＳＴＡが配信タイムアウト又は報告タイムアウト以内にマルチキャストフレームを受信しなかったとき，前記報告を発生することができる請求項９に記載の無線構内ネットワーク。
【請求項１７】
第１のノード，ポイント，又は端末であって，
無線構内ネットワーク（ＷＬＡＮ）内の第２のノード，ポイント，又は端末へ情報を伝送するように構成した１又は複数のモジュールと，
前記無線構内ネットワーク内の前記２つのノード，ポイント，又は端末間でマルチキャスト診断情報を可能にするように構成したモジュールと，
を備える第１のノード，ポイント，又は端末。
【請求項１８】
前記２つのノード，ポイント，又は端末は，前記ＷＬＡＮ内のアクセスポイント（ＡＰ），ほかの適切なネットワークノード，又は端末と，無線局（ＳＴＡ），ほかの適切なネットワークノード，又は端末と，を含む請求項１７に記載の第１のノード，ポイント，又は端末。
【請求項１９】
前記ＡＰは，マルチキャスト診断要求種別，１又は複数の起動条件，若しくは双方を含む測定要求要素を発行することができる請求項１８に記載の第１のノード，ポイント，又は端末。
【請求項２０】
前記非ＡＰ  ＳＴＡは，この要求を受信したとき，前記要求によって指定された測定期間にわたるマルチキャスト診断報告フィールドを有する測定報告を送信する請求項１９に記載の第１のノード，ポイント，又は端末。
【請求項２１】
マルチキャスト品質測定値を用いてＤＬ  ＭＡＣレベルマルチキャスト配信品質を測定することができる請求項２０に記載の第１のノード，ポイント，又は端末。
【請求項２２】
前記起動条件が満たされたとき，前記受信器が前記受信フレームの品質を特定するエラー報告を送信する請求項１７に記載の第１のノード，ポイント，又は端末。
【請求項２３】
前記ＡＰは，マルチキャストストリームを設定するすべての端末に同一の起動条件を設定するか，又は端末特定起動条件を設定することができる請求項１７に記載の第１のノード，ポイント，又は端末。
【請求項２４】
前記ＳＴＡが配信タイムアウト又は報告タイムアウト以内にマルチキャストフレームを受信しなかったとき，前記報告を発生することができる請求項１７に記載の第１のノード，ポイント，又は端末。
【請求項２５】
プログラムコードを有する計算機プログラム製品であって，該プログラムコードは機械可読媒体に記憶され，前記計算機プログラムをアクセスポイント（ＡＰ）のような第１のノード，ポイント，又は端末，若しくは無線局（ＳＴＡ）のような第２のノード，ポイント，又は端末，若しくはこれらのある組合せ，のいずれかのモジュールによって実行したとき，無線構内ネットワーク内の２つのノード，ポイント，又は端末間でマルチキャスト診断情報を可能にするステップを含む方法ステップを実行する計算機プログラム製品。
【請求項２６】
前記無線構内ネットワーク内の１又は複数のネットワークノード，ポイント，端末，又は要素内のプロセッサ，コントローラ，又はほかの適切なモジュールによって実行される計算機プログラムによって，前記方法ステップを実現するステップを更に有する請求項１に記載の方法。
【請求項２７】
無線構内ネットワーク（ＷＬＡＮ）内の２つのノード，ポイント，又は端末間で情報を伝送する手段と，
前記無線構内ネットワーク内の前記２つのノード，ポイント，又は端末間でマルチキャスト診断情報を可能にする手段と，
を備える装置。
【請求項２８】
前記２つのノード，ポイント，又は端末は，前記ＷＬＡＮ内のアクセスポイント（ＡＰ），ほかの適切なネットワークノード，又は端末と，無線局（ＳＴＡ），ほかの適切なネットワークノード，又は端末と，を含む請求項２７に記載の装置。
【請求項２９】
前記無線構内ネットワーク（ＷＬＡＮ）はアドホックネットワークを含み，又は形成し，無線局（ＳＴＡ），ほかの適切なネットワークノード，又は端末が１又は複数のほかの無線局（ＳＴＡ）に被起動マルチキャスト及び／又は同報測定を設定する請求項９に記載の無線構内ネットワーク。
【発明の詳細な説明】
【技術分野】
【０００１】
本発明は８０２．１１ＷＬＡＮと，マルチキャストフレーム処理と，マルチキャストフレームのフレーム配信品質監視機構を提供する方法及び装置と，に関する。この監視機構は，報告条件が満たされたとき報告するように自律配信エラー機構を設定することを含む。
【背景技術】
【０００２】
マルチキャストフレームを配信する現在の機構は，マルチキャストフレーム配信の品質を制御し監視する機構を規定していない。現在，マルチキャストメッセージは肯定応答されない。例えば輻輳のような悪いシナリオにおいては，マルチキャスト送信に耐性を付与するために肯定応答が必要である。
【発明の開示】
【課題を解決するための手段】
【０００３】
最も広義には本発明は，無線構内ネットワーク（ＷＬＡＮ）内の２つのノード，ポイント，又は端末間で情報を伝送する新規かつ唯一の方法及び装置を提供する。ここでＷＬＡＮ内の２つのノード，ポイント，又は端末間でマルチキャスト診断情報が可能になる。本発明は，ＷＬＡＮ内の２つのノード，ポイント，又は端末間でマルチキャスト診断情報及び関連する通知（ｓｉｇｎａｌｌｉｎｇ）の交換を提供する。
【０００４】
上記の２つのノード，ポイント，又は端末は，ＷＬＡＮ内のアクセスポイント（ＡＰ），ほかの適切なネットワークノード，又は端末と，無線局（ＳＴＡ），ほかの適切なネットワークノード，又は端末と，を含んでもよい。
【０００５】
マルチキャスト診断通知（ａｌｅｒｔ）は，設定が必要な測定を要求する。設定段階で２つのノードは測定種別について合意し，エラー報告送信の起動（ｔｒｉｇｇｅｒｉｎｇ）条件を規定する。測定は，常に実行されているバックグラウンド測定であり，測定中のノード，ポイント，又は端末は，通常動作の一部として自動的に測定結果を記録する。測定結果が規定された起動条件を超えたとき，又は対応するとき，測定中のノード，ポイント，又は端末は測定値又はエラー報告をノード２へ送信する。この測定値又はエラー報告は，規定した起動条件に関連する情報を含むか，又は測定設定中に合意したすべての測定報告を含んでもよい。またノード２は，いつでも測定結果を要求してよい。マルチキャスト診断は常に実行され，ノード１は現在の結果を以て応答する。被起動（ｔｒｉｇｇｅｒｅｄ）自律測定は，ＱｏＳ，マルチキャスト，及び無線の条件と，送信及び受信ひずみの測定を含む。これらは単にいくつかの例であって，測定種別はこれらに限定されない。
【０００６】
マルチキャスト診断は，受信したマルチキャスト信号の品質を監視するために行われる。
【０００７】
ＡＰは，測定報告を要求するためにマルチキャスト診断要求を発行できる。非ＡＰ  ＳＴＡは，この要求を受信するとその時点のマルチキャスト診断報告を送信してもよいし，マルチキャスト診断要求に指定されたマルチキャスト信号の測定を開始して，起動条件が満たされたときにマルチキャスト診断報告を送信してもよい。マルチキャスト品質測定値を用いて，ＤＬ（ＡＰから非ＡＰ  ＳＴＡへの）ＭＡＣレベルマルチキャスト配信の品質を測定することができる。マルチキャスト診断は，マルチキャストサービスの配信又は報告のタイムアウト条件を規定する。配信又は報告タイムアウトは，マルチキャスト又は同報アドレスからのフレームを受信する期間又は起動条件が満たされる期間を規定する。起動条件が満たされると受信器は，マルチキャスト又は同報アドレスから受信したマルチキャスト又は同報フレームの数，及び配信又は報告タイムアウトのために起動が行われたという情報を特定するマルチキャスト診断報告を送信する。ＡＰは，マルチキャストストリームを設定するすべての端末に同一の起動条件を設定してもよいし，端末特定起動条件を設定してもよい。
【０００８】
また本発明の範囲は，相互に情報を伝送する少なくとも２つのノード，ポイント，又は端末を備えるＷＬＡＮを含むように意図されており，上記２つのノード，ポイント，又は端末は，ＷＬＡＮ内の２つのノード，ポイント，又は端末間でマルチキャスト配信監視情報及び関連する通知の交換を可能にするように構成したモジュールと，プログラムコードを有する計算機プログラム製品であって，そのプログラムコードは機械可読媒体に記憶されており，その計算機プログラムがＡＰのような第１のノード，ポイント，又は端末，ＳＴＡのような第２のノード，ポイント，又は端末，若しくはそれらのある組合せのいずれかのモジュールにおいて実行されたとき，上記の２つのノード，ポイント，又は端末間でマルチキャスト診断情報と，マルチキャスト配信監視情報と，関連通知と，の交換を可能にするステップを含む方法ステップを実行する計算機プログラム製品と，を備える。また本発明は，ＷＬＡＮ内の１又は複数のネットワークノード，ポイント，端末，又は要素のプロセッサ，コントローラ，又はほかの適切なモジュールにおいて走行する計算機プログラムを介して，方法ステップを実現するステップを含む。
【０００９】
本発明の範囲は，測定期間が０に設定されたマルチキャスト診断要求を受信し，マルチキャストフレームを受信し，受信したマルチキャストフレーム情報によって起動条件を更新し，監視によって起動条件を監視し，及び／又は起動条件が満たされたときマルチキャスト診断報告を送信する端末を含むように意図されている。
【００１０】
別の実施例において本発明は，非零に設定された測定期間を有するマルチキャスト診断要求を受信し，その測定期間によって指定された時間にわたってマルチキャストフレームを受信し，受信したマルチキャストフレーム情報によって起動条件を更新し，監視によって起動条件を監視し，及び／又は測定期間が終了したときマルチキャスト診断報告を送信する端末を含んでもよい。
【００１１】
要するに本発明は，マルチキャスト及び同報フレーム受信品質を監視するために，非ＡＰ  ＳＴＡに自律測定機構を提供することによって，ＷＬＡＮマルチキャスト配信品質測定問題を解決する。
【００１２】
付属の図面は，必ずしも正確な縮尺によって描かれたものではない。
【発明を実施するための最良の形態】
【００１３】
図１ａは，例として一般に２と記されたＩＥＥＥ８０２．１１ ＷＬＡＮシステムを示している。このシステムは，パーソナルデジタルアシスタント（ＰＤＡ）３，ラップトップ４，プリンタ５，などを含む移動体デバイス及び２次デバイスのような通信装置間の通信を提供する。ＷＬＡＮシステム２は有線ＬＡＮシステムに接続してもよく，後者は無線デバイスがファイルサーバ又はほかの適切なデバイス上の情報及びファイルを利用でき，インターネットに接続できるようにする。これらのデバイスは図示のとおり，基地局のない，いわゆる「アドホック」ネットワークによって直接相互に通信することもできるし，８０２．１１の用語ではアクセスポイント（ＡＰ）と呼ばれる基地局（６と記す）を介して，構内配信サービス（ＤＳ）又は広域拡張サービスを用いて配信サービスと通信することもできる。ＷＬＡＮシステムにおいては，エンドユーザが接続するデバイスは無線局（ＳＴＡ）として知られており，それは通信デバイス間で配信されるデジタル信号を無線信号に変換する送受信器（送信器・受信器）であり，ほかのデバイス及び／又はネットワークとの間でデータパケットを受信及び配信するアクセスポイント（ＡＰ）に通信装置を接続する。ＳＴＡは，いずれも当業において既知のデバイスに接続された無線ネットワークインタフェースカード（ＮＩＣ）アダプタからデバイスの一部である統合無線モジュール，及び外部アダプタ（ＵＳＢ），ＰＣＭＣＩＡカード又はＵＳＢドングル（自己完結型）に至るまで，種々の形態をとることができる。
【００１４】
本発明は，図１ａに示すようなＷＬＡＮ内の２つのノード，ポイント又は端末間で情報を伝送する新規で唯一の方法及び装置を提供する。マルチキャスト診断情報は，ＷＬＡＮ内の２又は複数のノード，ポイント又は端末間で可能になる。図１ｂは，本発明のいくつかの実施例による基本ステップ７及び８を有するフローチャートである。
【００１５】
ＷＬＡＮ内の２つのノード，ポイント又は端末は，図１ａと一致するＷＬＡＮにおいて動作する，図２に示すアクセスポイント（ＡＰ），ほかの適切なネットワークノード，又は端末１０と，図３に示すＳＴＡ，ほかの適切なネットワークノード，又は端末２０とを含む。ＡＰ１０及びＳＴＡ２０は，対応するモジュール１２及び２２を備え，それらは図１ａのＷＬＡＮ２内の２つのノード，ポイント又は端末間でマルチキャスト診断情報及び関連する通知の交換を可能にするように構成される。ＳＴＡが１又は複数の別のＳＴＡのＭＣ測定を起動するように設定したアドホックネットワークを含むように実施例が想定され，本発明の範囲は意図されている。
【００１６】
＜基本実装＞
本発明のいくつかの実施例によるＡＰ１０及びＳＴＡ２０の基本実装及び協働は，次を含んでもよい。
【００１７】
マルチキャスト送信は８０２．１１ネットワーク内では肯定応答されない。したがって実際上サービスレベルを監視することは不可能であり，サービスの信頼性は低い可能性がある。本発明のいくつかの実施例による配信監視機構は，個別マルチキャストフレームに肯定応答する必要なしにマルチキャストサービスを監視できるようにする機構である。
【００１８】
１つの基本実装においては，マルチキャストサービスが設定された後に被起動マルチキャスト診断通知が設定できる。しかし本発明の範囲はマルチキャストサービス設定なしでマルチキャスト通知を用いることを含むように意図されている。本発明と共に用いることができるマルチキャストサービス設定機構の一例は，８０２．１１ｖ標準提案に規定されており，ここに参照する。しかし本発明の範囲は，現在既知の，又は将来開発されるほかの種別のマルチキャストサービスを用いることも含むように意図されている。本発明は，マルチキャストサービス設定の詳細を規定し，それをどのように用いることができるかを規定する。
【００１９】
被起動マルチキャスト診断通知は，より大きい自律測定枠組みの一部として用いることも可能である。被起動マルチキャスト診断通知をより大きい自律測定枠組みの一部として用いるための詳細は，本発明の譲渡人に譲渡された別の特許出願に規定されている。この場合被起動マルチキャスト診断通知は，すべてのほかの自律測定と類似して設定される。
【００２０】
ＡＰはマルチキャスト診断要求を発行することができる。この要求によって，たとえ起動条件が満たされていないときでも，ＡＰはマルチキャスト診断報告を要求できる。非ＡＰ  ＳＴＡは，この要求を受信するとマルチキャスト診断要求によって指定された測定期間にわたるマルチキャスト診断報告を送信する。これらの要求に対しては，測定タイムアウトは設定されない。
【００２１】
被起動マルチキャスト診断通知は，ＤＬ  ＭＡＣレベルマルチキャスト配信の品質を測定するために用いる。この機構は，受信ＤＬマルチキャストフレームを用いる。
【００２２】
被起動マルチキャスト診断通知は，マルチキャストサービスの１又は複数の配信又は報告タイムアウト条件を規定する。受信器は，条件が満たされると被起動報告の理由を示すマルチキャスト診断を送信する。８０２．１１ｋ仕様書においては，被起動測定はＵＬ送信品質の条件を設定するために用いられる。
【００２３】
ＡＰは，マルチキャストストリームを設定するすべての端末に同一の起動条件を設定してもよいし，端末特定起動条件を設定してもよい。
【００２４】
例として，本発明を実装する通知フレームを規定する一方法が，米国仮特許出願第６０／７３３，９９９号，文書番号ＷＦＶＡ／Ｎｏｋｉａ  ９４４−４．５９／ＮＣ４６８６７，に記載されており，これはＩＥＥＥ  Ｐ８０２．１１の１又は複数のセクションを含む。ここにその全体を参照する。また現在既知か，又は将来開発されるか，いずれかの別の種別の通知フレームを用いて同一物を実現するステップを含むように実施例が想定され，本発明の範囲は意図されている。
【００２５】
マルチキャスト自律起動論理はＩＥＥＥ８０２．１１の１又は複数の章に述べられており，次にこれを説明する。
【００２６】
＜強化した同報マルチキャストサービス監視＞
サービスモード選択を可能にするため，ＡＰはマルチキャストサービスの被起動マルチキャスト診断通知を設定することができる。非ＡＰ  ＳＴＡにマルチキャスト診断要求を送信することによって報告が可能になる。
【００２７】
被起動マルチキャスト診断通知は，マルチキャストグループのサービスモードが通常である（すなわち，マルチキャスト情報が通常マルチキャストフレームとして送信される）ときだけ用いることができる。サービスモードがユニキャストに変更されると，マルチキャストサービスの被起動自律報告は不可能になる。ＡＰは，マルチキャスト情報が変換されるユニキャストＴＣ又はＴＳの被起動ＱｏＳ測定を設定することができる。非ＡＰ  ＳＴＡは，サービスモードがマルチキャストからユニキャストへ，又はその逆に変更されたとき，フレーム受信統計をリセットする。
【００２８】
＜診断通知  −  マルチキャスト診断報告＞
マルチキャスト診断報告は，ＡＰが関連ＡＰにおけるマルチキャスト及び同報情報の受信統計に関する情報を受信できるようにする。マルチキャスト診断報告に対応する非ＡＰ  ＳＴＡは，無線管理能力要素内のマルチキャスト能力ビットを１に設定する。
【００２９】
ＡＰは，マルチキャスト診断能力を示した非ＡＰ  ＳＴＡにマルチキャスト診断要求を送信してもよい。ＳＴＡは，その要求を受け付けたとき，要求された測定期間中，指定されたマルチキャストアドレスを有する受信ＭＳＤＵの数を数える。この値は，マルチキャスト診断報告によって返送される。
【００３０】
ＡＰは，マルチキャスト診断能力を示した関連非ＡＰ  ＳＴＡにおいて，被起動マルチキャスト診断報告が可能になるように要求できる。マルチキャスト診断報告を可能にするため，ＡＰはマルチキャスト診断要求種別を含み，測定要求フレーム内のイネーブルビット及び報告ビットを１に設定した測定要求要素を送信する。ＩＥＥＥ８０２．１１ｋ  Ｄ６．０（２００６年１０月）を参照されたい。診断報告用のマルチキャストＭＡＣアドレス及び起動条件は，要求によって指定される。
【００３１】
マルチキャスト診断報告は，マルチキャストＭＡＣアドレスを同報アドレスに設定することによって，同報情報に対して要求することができる。
【００３２】
マルチキャスト診断報告の要求を受け入れた非ＡＰ  ＳＴＡは，指定された起動条件が発生したとき，要求ＳＴＡにマルチキャスト診断報告を送信する。測定中の非ＡＰ  ＳＴＡは，要求によって指定された起動タイムアウト期間が終了するか，又は改訂起動条件が要求されるまで，更なるマルチキャスト診断報告を送信しない。
【００３３】
いったん受け入れられると，マルチキャスト診断報告は次のいずれかが生じるまで指定されたマルチキャストＭＡＣアドレスに対して動作し続ける。
【００３４】
・マルチキャスト診断要求種別を含み，測定要求フレーム内のイネーブルビットが１に設定され，かつ報告ビットが０に設定された測定要求要素が受信される
【００３５】
・マルチキャスト診断要求種別を含み，測定要求フレーム内のイネーブルビット及び報告ビットが１に設定され，起動条件がない測定要求要素が受信される
【００３６】
・ＳＴＡが，マルチキャストグループから離れる，すなわち関連がなくなる
【００３７】
＜モジュール機能の実現＞
上述のＡＰ１０及びＳＴＡ２０の機能は，図２及び３に示す対応モジュール１２及び２２によって実現することができる。例として，そしてここに記載のとおり，モジュール１２及び２２の機能は，ハードウェア，ソフトウェア，ファームウェア，又はそれらの組合せを用いて実現することができる。しかし本発明の範囲は，これら特定の実施例によって限定されるものではない。通常のソフトウェア実装においては，モジュール１２及び２２は，マイクロプロセッサと，ランダムアクセスメモリ（ＲＡＭ）と，読み出し専用メモリ（ＲＯＭ）と，入出力デバイスと，これらを接続する制御，データ及びアドレスバスと，を有する１又は複数のマイクロプロセッサ主体のアーキテクチャである。当業者であれば，過度の実験なしに，このようなマイクロプロセッサ主体の実装にここで説明した機能を実行させるようにプログラムすることができるであろう。本発明の範囲は，現在既知の技術又は将来開発されるであろう技術を用いた特定の実装に限定することを意図していない。更に本発明の範囲は，モジュール１２及び２２が図示のとおり独立モジュールであること，又は別のモジュールを実現する別の回路と組み合わせること，を含むように意図している。
【００３８】
別のモジュール１４及び２４，並びにその機能は当業において既知であり，それ自身基礎となる発明をなすものではないので，ここでは詳細に説明しない。例えば別のモジュール２４は，当業において既知でありここでは詳細に説明しないＵＭＴＳ加入者識別情報モジュール（ＵＳＩＭ）及び移動体装置（ＭＥ）モジュールのような通常の携帯電話機又は端末の一部をなすほかのモジュールを含んでもよい。
【００３９】
本発明は，マルチキャスト配信品質を監視するために用いることができるバックグラウンド測定を可能にし，非ＡＰ  ＳＴＡが肯定応答を送信する必要がないので肯定応答処理に必要なオーバヘッドを減少させる。条件が満たされたときだけエラー報告が送信される。
【００４０】
また本発明は，多数の受信器に適した機構を提供する。伝送エラーは非ＡＰ  ＳＴＡに対して生じ，そのコネクションがほとんどの配信エラーを含む。これらの端末は識別することができ，これらの端末に対しては違った配信方法をとることができる。
【００４１】
＜はん用移動体通信システム（ＵＭＴＳ）パケットネットワークアーキテクチャ＞
図４ａ及び４ｂは，はん用移動体通信システム（ＵＭＴＳ）パケットネットワークアーキテクチャを示す。図４ａにおいて，ＵＭＴＳパケットネットワークアーキテクチャは主要な構成要素であるユーザ装置（ＵＥ）と，ＵＭＴＳ地上無線接続ネットワーク（ＵＴＲＡＮ）と，コアネットワーク（ＣＮ）と，を含む。ＵＥは無線インタフェース（Ｕｕ）を介してＵＴＲＡＮと接続し，一方ＵＴＲＡＮは（有線の）Ｉｕインタフェースを介してＣＮと接続している。図４ｂはいくつかの更なるアーキテクチャ詳細を示しており，特にＵＴＲＡＮは複数の無線ネットワークサブシステム（ＲＮＳ）を含み，各ＲＮＳはそれぞれ少なくとも１つの無線ネットワーク制御装置（ＲＮＣ）を含む。各ＲＮＣは，ＧＳＭ基地局に対応するＵＭＴＳの要素である複数のノードＢに接続することができる。各ノードＢは，図４ａに示す無線インタフェース（Ｕｕ）を介して複数のＵＥと無線接続することができる。１又は複数のノードＢが別のＲＮＣに接続していても，特定のＵＥは複数のノードＢと無線接続することができる。例えば図４ｂのＵＥ１は，ＲＮＳ１のノードＢ２及びＲＮＳ２のノードＢ３と無線接続することができ，ここでノードＢ２及びノードＢ３は隣接ノードＢである。別のＲＮＳのＲＮＣは，Ｉｕｒインタフェースによって接続される。Ｉｕｒインタフェースは，移動するＵＥが１つのＲＮＣのノードＢに属するセルから別のＲＮＣのノードＢに属するセルに移動するとき，双方のＲＮＣと接続を保つことを可能にする。図１ａにおけるＩＥＥＥ８０２．１１ＷＬＡＮシステムと，図４ａ及び４ｂにおける（ＵＭＴＳ）パケットネットワークアーキテクチャとを融合させることによって，ＳＴＡが携帯電話機又は移動体端末のようなＵＥの形態をなすことになる。図１ａに示すＷＬＡＮ（ＩＥＥＥ８０２．１１）と図４ａ及び４ｂに示すような別の技術（例えば３ＧＰＰ，３ＧＰＰ２又は８０２．１６）との協働は，現在３ＧＰＰ及び３ＧＰＰ２のプロトコル仕様書に規定されつつある。本発明の範囲は，このようなＵＭＴＳパケットネットワークアーキテクチャに関連する同一の実装を含むように意図している。
【００４２】
略号一覧
ＡＣ            接続種別
Ａ−ＭＳＤＵ    集約ＭＳＤＵ
ＡＰ            アクセスポイント（接続点）
ＭＡＣ          媒体接続制御
ＭＳＤＵ        ＭＡＣサービスデータユニット
ＱＡＰ          ＱｏＳアクセスポイント
ＱｏＳ          サービス品質
ＱＳＴＡ        ＱｏＳ無線局
ＳＴＡ          無線局
【００４３】
＜本発明の範囲＞
したがって本発明は，構成物と，要素の組合せと，ここで述べた構成物において例示された部品の配置と，の特徴を含む。
【００４４】
したがって上述の目的と，上述の説明から明らかになるものとが効率的に達成されることが分かり，そして本発明の範囲から逸脱することなく上述の構成物において一定の変更が可能であるので，上述の説明に含まれ，又は添付の図面に示されたすべての事項は例示的であり，限定的な意味ではないことを意図している。
【図面の簡単な説明】
【００４５】
【図１ａ】本発明のいくつかの実施例によるＩＥＥＥ８０２．１１ＷＬＡＮシステムを示す図である。
【図１ｂ】本発明のいくつかの実施例による方法の基本ステップを有するフローチャートである。
【図２】本発明のいくつかの実施例によるアクセスポイント（ＡＰ）を示す図である。
【図３】本発明のいくつかの実施例による無線局（ＳＴＡ）を示す図である。
【図４ａ】当業において既知のはん用移動体通信システム（ＵＭＴＳ）パケットネットワークアーキテクチャを示す図である。
【図４ｂ】当業において既知のはん用移動体通信システム（ＵＭＴＳ）パケットネットワークアーキテクチャを示す図である。
【図１ａ】
2009515402.tif 000003
【図１ｂ】
2009515402.tif 000004
【図２】
2009515402.tif 000005
【図３】
2009515402.tif 000006
【図４ａ】
2009515402.tif 000007
【図４ｂ】
2009515402.tif 000008
【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
無線構内ネットワーク内のノード，ポイント，又は端末においてマルチキャスト診断情報を受信するステップと，
前記の受信マルチキャスト診断情報を少なくとも部分的に用いて受信マルチキャスト信号品質を監視するステップと，
を有する方法。
【請求項２】
前記ノード，ポイント，又は端末は，アクセスポイント，若しくはほかの適切なネットワークノード，ポイント，又は端末とする請求項１に記載の方法。
【請求項３】
前記マルチキャスト診断情報の要求を前記無線構内ネットワーク内の別のノード，ポイント，又は端末に供給するステップを更に有する請求項１に記載の方法。
【請求項４】
前記要求は，マルチキャスト診断要求種別，１又は複数の起動条件，若しくは双方を含む請求項３に記載の方法。
【請求項５】
前記マルチキャスト診断情報は，前記要求によって指定された測定期間にわたるマルチキャスト診断報告フィールドを有する測定報告又はエラー報告を含む請求項３に記載の方法。
【請求項６】
前記マルチキャスト診断情報は，ダウンリンク媒体接続制御レベルマルチキャスト配信の品質を測定するために用いることができるマルチキャスト品質測定値を含む請求項１に記載の方法。
【請求項７】
前記マルチキャスト診断情報は，サービス，受信フレーム，無線条件，送信受信ひずみ，又はこれらのある組合せ，の品質測定値を特定するエラー報告を含む請求項１に記載の方法。
【請求項８】
前記マルチキャスト診断情報は，前記ノード，ポイント，又は端末が配信タイムアウト又は報告タイムアウト期間内にマルチキャストフレームを受信しなかった場合に報告を含む請求項１に記載の方法。
【請求項９】
前記ノード，ポイント，又は端末は，前記無線構内ネットワーク内の別のノード，ポイント，又は端末と測定種別について合意し，エラー報告送信の起動条件を特定する請求項１に記載の方法。
【請求項１０】
前記の受信マルチキャスト診断情報を少なくとも部分的に用いて，１又は複数の起動条件を更新する請求項１に記載の方法。
【請求項１１】
前記ノード，ポイント，又は端末内のプロセッサ，コントローラ，又はほかの適切なモジュール内で動作する計算機プログラムによって前記方法を実現するステップを更に有する請求項１に記載の方法。
【請求項１２】
無線構内ネットワーク内のノード，ポイント，又は端末においてマルチキャスト診断情報を受信するように構成した１又は複数のモジュールと，
前記の受信マルチキャスト診断情報を少なくとも部分的に用いて受信マルチキャスト信号品質を監視するように構成した１又は複数のモジュールと，
を備える装置。
【請求項１３】
前記ノード，ポイント，又は端末は，アクセスポイント，若しくはほかの適切なネットワークノード，ポイント，又は端末とする請求項１２に記載の装置。
【請求項１４】
前記受信するように構成した１又は複数のモジュールはまた，前記マルチキャスト診断情報の要求を前記無線構内ネットワーク内の別のノード，ポイント，又は端末に供給するようにも構成する請求項１２に記載の装置。
【請求項１５】
前記要求は，マルチキャスト診断要求種別，１又は複数の起動条件，若しくは双方を含む請求項１４に記載の装置。
【請求項１６】
前記マルチキャスト診断情報は，前記要求によって指定された測定期間にわたるマルチキャスト診断報告フィールドを有する測定報告又はエラー報告を含む請求項１４に記載の装置。
【請求項１７】
前記マルチキャスト診断情報は，ダウンリンク媒体接続制御レベルマルチキャスト配信の品質を測定するために用いることができるマルチキャスト品質測定値を含む請求項１２に記載の装置。
【請求項１８】
前記マルチキャスト診断情報は，サービス，受信フレーム，無線条件，送信受信ひずみ，又はこれらのある組合せ，の品質測定値を特定するエラー報告を含む請求項１２に記載の装置。
【請求項１９】
前記マルチキャスト診断情報は，前記ノード，ポイント，又は端末が配信タイムアウト又は報告タイムアウト期間内にマルチキャストフレームを受信しなかった場合に報告を含む請求項１２に記載の装置。
【請求項２０】
前記１又は複数のモジュールは，前記無線構内ネットワーク内の別のノード，ポイント，又は端末と測定種別について合意し，エラー報告送信の起動条件を特定するように構成する請求項１２に記載の装置。
【請求項２１】
前記の受信マルチキャスト診断情報を少なくとも部分的に用いて，１又は複数の起動条件を更新する請求項１２に記載の装置。
【請求項２２】
無線構内ネットワーク内のノード，ポイント，又は端末においてマルチキャスト診断情報を受信するステップと，
前記の受信マルチキャスト診断情報を少なくとも部分的に用いて受信マルチキャスト信号品質を監視するステップと，
を有する方法を実行する計算機実行可能コンポーネントを備える計算機可読記憶媒体。
【請求項２３】
無線構内ネットワーク内のノード，ポイント，又は端末内にマルチキャスト診断情報を記録するステップと，
前記無線構内ネットワーク内の別のノード，ポイント，又は端末内に前記マルチキャスト診断情報を供給するステップと，
を有する方法。
【請求項２４】
前記ノード，ポイント，又は端末は，無線局，若しくはほかの適切なネットワークノード，ポイント，又は端末とする請求項２３に記載の方法。
【請求項２５】
前記マルチキャスト診断情報は，前記マルチキャスト診断情報を少なくとも部分的に用いて受信マルチキャスト信号品質を監視することができる別のノード，ポイント，又は端末からの要求に応答して提供する請求項２３に記載の方法。
【請求項２６】
前記要求は，マルチキャスト診断要求種別，１又は複数の起動条件，若しくは双方を含む請求項２５に記載の方法。
【請求項２７】
前記マルチキャスト診断情報は，前記要求によって指定された測定期間にわたるマルチキャスト診断報告フィールドを有する測定報告又はエラー報告を含む請求項２５に記載の方法。
【請求項２８】
前記マルチキャスト診断情報は，ダウンリンク媒体接続制御レベルマルチキャスト配信の品質を測定するために用いることができるマルチキャスト品質測定値を含む請求項２３に記載の方法。
【請求項２９】
前記マルチキャスト診断情報は，サービス，受信フレーム，無線条件，送信受信ひずみ，又はこれらのある組合せ，の品質測定値を特定するエラー報告を含む請求項２３に記載の方法。
【請求項３０】
前記マルチキャスト診断情報は，前記ノード，ポイント，又は端末が配信タイムアウト又は報告タイムアウト期間内にマルチキャストフレームを受信しなかった場合に報告を含む請求項２３に記載の方法。
【請求項３１】
前記ノード，ポイント，又は端末は，前記無線構内ネットワーク内の別のノード，ポイント，又は端末と測定種別について合意し，エラー報告送信の起動条件を特定する請求項２３に記載の方法。
【請求項３２】
前記の受信マルチキャスト診断情報を少なくとも部分的に用いて，１又は複数の起動条件を更新する請求項２３に記載の方法。
【請求項３３】
前記ノード，ポイント，又は端末内のプロセッサ，コントローラ，又はほかの適切なモジュール内で動作する計算機プログラムによって前記方法を実現するステップを更に有する請求項２３に記載の方法。
【請求項３４】
無線構内ネットワーク内のノード，ポイント，又は端末内にマルチキャスト診断情報を記録するように構成した１又は複数のモジュールと，
前記無線構内ネットワーク内の別のノード，ポイント，又は端末内に前記マルチキャスト診断情報を供給するように構成した１又は複数のモジュールと，
を備える装置。
【請求項３５】
前記ノード，ポイント，又は端末は，無線局，若しくはほかの適切なネットワークノード，ポイント，又は端末とする請求項３４に記載の装置。
【請求項３６】
前記供給するように構成した１又は複数のモジュールはまた，前記マルチキャスト診断情報を少なくとも部分的に用いて受信マルチキャスト信号品質を監視することができる別のノード，ポイント，又は端末からの要求に応答して，前記マルチキャスト診断情報を提供するようにも構成する請求項３４に記載の装置。
【請求項３７】
前記要求は，マルチキャスト診断要求種別，１又は複数の起動条件，若しくは双方を含む請求項３６に記載の装置。
【請求項３８】
前記マルチキャスト診断情報は，前記要求によって指定された測定期間にわたるマルチキャスト診断報告フィールドを有する測定報告又はエラー報告を含む請求項３６に記載の装置。
【請求項３９】
前記マルチキャスト診断情報は，ダウンリンク媒体接続制御レベルマルチキャスト配信の品質を測定するために用いることができるマルチキャスト品質測定値を含む請求項３４に記載の装置。
【請求項４０】
前記マルチキャスト診断情報は，サービス，受信フレーム，無線条件，送信受信ひずみ，又はこれらのある組合せ，の品質測定値を特定するエラー報告を含む請求項３４に記載の装置。
【請求項４１】
前記マルチキャスト診断情報は，前記ノード，ポイント，又は端末が配信タイムアウト又は報告タイムアウト期間内にマルチキャストフレームを受信しなかった場合に報告を含む請求項３４に記載の装置。
【請求項４２】
前記１又は複数のモジュールは，前記無線構内ネットワーク内の別のノード，ポイント，又は端末と測定種別について合意し，エラー報告送信の起動条件を特定するように構成する請求項３４に記載の装置。
【請求項４３】
前記の受信マルチキャスト診断情報を少なくとも部分的に用いて，１又は複数の起動条件を更新する請求項３４に記載の装置。
【請求項４４】
無線構内ネットワーク内のノード，ポイント，又は端末内にマルチキャスト診断情報を記録するステップと，
前記無線構内ネットワーク内の別のノード，ポイント，又は端末内に前記マルチキャスト診断情報を供給するステップと，
を有する方法を実行する計算機実行可能コンポーネントを備える計算機可読記憶媒体。
【国際調査報告】
2009515402.tif 000009
2009515402.tif 000010
2009515402.tif 000011
2009515402.tif 000012